(57)【要約】      （修正有）【課題】低重心且つ安全な並列ローラースケート靴構造を提供する。【解決手段】ローラースケート靴本体と台座輪座とからなり、台座輪座に、ローラースケート靴のローラー２が並列される並列ローラースケート靴構造であって、ローラースケート靴本体の靴底面１の高さが、並列ローラースケート靴のローラー２の上縁より高く、ユーザーが運動する時の足部の重心が低減され、靴底面の両側において、所定のローラー位置に対応して、一体成形による輪座１０が形成され、並列ローラースケート靴の基本構造が簡素化される。【選択図】図２
0003180288.tif 000002
【実用新案登録請求の範囲】
【請求項１】
ローラースケート靴本体と台座輪座とからなり、上記台座輪座に、ローラースケート靴のローラーが並列される並列ローラースケート靴構造であって、
上記ローラースケート靴本体の靴底面の高さが、並列ローラースケート靴のローラーの上縁より低く、ユーザーが運動する時の足部の重心が低下し、上記靴底面の両側において、所定のローラー位置に対応して、一体成形による輪座が形成され、並列ローラースケート靴の基本構造が簡素化されることを特徴とする低重心且つ安全な並列ローラースケート靴構造。
【請求項２】
上記並列ローラースケート靴は、前列及び後列のローラーの直径が、１：２の割合に設置されることを特徴とする請求項１に記載の低重心且つ安全な並列ローラースケート靴構造。
【請求項３】
上記の前列の小直径ローラーの直径の高さが、所定の重心の高さより低くなる時、上記前列小直径ローラーの設置幅が縮小され、また、上記の小直径ローラーのホイールセグメントが、靴底面の重心の高さよりも、低いことを特徴とする請求項２に記載の低重心且つ安全な並列ローラースケート靴構造。
【請求項４】
上記靴底面の重心の高さが、後列の大直径ローラーの両輪軸心線の高さより高い時、直接に、上記の靴底面の厚さにより、輪軸の輪座が形成され、対応する並列ローラーが、一つの横方向に設置された輪軸に貫設されることを特徴とする請求項１に記載の低重心且つ安全な並列ローラースケート靴構造。
【請求項５】
上記の前列の小直径ローラーは、二つのローラーから、一つの中央に設置された単一のローラーに簡素化されることを特徴とする請求項３に記載の低重心且つ安全な並列ローラースケート靴構造。
【考案の詳細な説明】
【技術分野】
【０００１】
本考案は、スケート靴運動用品に関するものであり、さらに詳しくは、低重心且つ安全な並列ローラースケート靴構造に関するものである。
【背景技術】
【０００２】
従来のスケート靴には、直列ローラースケート靴や並列ローラースケート靴及びアイススケート靴等があり、その基本構造には、次の二つの共通特徴がある。
【０００３】
１、靴体の重心の高さ（即ち、着用者の足裏の高さ）が、ローラースケート靴のローラーの上縁やアイススケート靴のスケートの上縁の高さよりも高いことである。
【０００４】
２、ローラースケート靴のローラーやアイススケート靴のスケートを、台座輪座により、スケート靴本体に組立てたものが一般的である。
【０００５】
そのため、（１）スケート靴により、足部の重心が高くなるため、足首が負傷し易く、特に、骨格の発育不全な幼いユーザーや初心者であれば、負傷のリスクが高くなり、高い重心を有するスケート靴を着用すれば、その負傷のリスクが、一層高くなる。スケート靴の重心が高い場合、さらに強い筋力の反射や強い関節耐性が必要になり、これに対応するには、幼いユーザーや初心者のユーザーにとって、より微細な人間工学上の設計を考慮しなければならない。（２）従来のスケート靴に、ローラーやスケートを取付ける場合、安定性や設置空間が制限されるために、一般的には、別に、ローラーやスケートを実装するための座輪座を作製しなければならないが、その構造が複雑になり、組立てや生産のコストが高くなるだけでなく、スケート靴の重心も高くなって安全性が低下すること、などの欠点が残されている。
【０００６】
実用新案登録第３０４１９８８号公報(以下、「特許文献１」という)には、直列に配列されたローラーを備え、大きさを調整できるローラー直列型調整式ローラースケート靴で、一体構造とされた踵部靴体に複数の滑り溝が設けられ、爪先部靴体がそのレールの上記滑り溝へのスライド自在の嵌合を以って、踵部靴体に組み合わせられ、踵部靴体と爪先部靴体の相対距離が最適となるようにスライド式に調整される構造が記載されている。
【０００７】
しかし、特許文献１には、かかるサイズ調整構造が開示されているが、重心の高低調整については開示がない。また、実用新案登録第３０８９０９６号公報(以下、「特許文献２」という)にも、靴本体の長さの調整構造が記載されている。
【０００８】
しかし、特許文献１および特許文献２には、かかるサイズ調整構造、靴本体の長さの調整構造が開示されているが、靴本体の重心の高低調整構造については開示がない。
【特許文献１】実用新案登録第３０４１９８８号公報
【特許文献２】実用新案登録第３０８９０９６号公報
【考案の概要】
【考案が解決しようとする課題】
【０００９】
従って、本考案の主な課題は、ローラースケート靴本体の靴底面の高さが、並列ローラースケート靴のローラーの上縁よりも低くなり、ユーザーが運動する場合において足部の重心が低くなり、スケート運動の安全性の高い低重心且つ安全な並列ローラースケート靴構造を提供することにある。
【００１０】
本考案の他の課題は、靴底面の両側の端縁において、所定のローラーに対応する位置に、直接に、一体成形による輪座が形成され、或いは、直接に、靴底面の厚さを利用して、横方向に、軸孔が形成され、それに、一つで、両側のローラーを結合する輪軸が貫設され、従来のローラースケート靴の構造と比較すると、少なくとも、独自の台座輪座の作製や組立てが節約される。上記前列小直径ローラーの直径の高さが、所定の重心の高さより低くなる時、前列小直径ローラーが、中央に位置する単一ローラーに簡素化され、並列ローラースケート靴の基本構造が簡素化されて、構造が、より簡単になり、製造コストが低減される低重心且つ安全な並列ローラースケート靴構造を提供することにある。
【課題を解決するための手段】
【００１１】
そこで、本考案者が前記課題を解決するため鋭意検討を重ねた結果、低重心且つ安全な並列ローラースケート靴構造は、上記ローラースケート靴が、ローラースケート靴本体と台座輪座とを有し、上記台座輪座に、並列ローラースケート靴ローラーが設置され、また、上記ローラースケート靴本体の靴底面の高さが、並列ローラースケート靴のローラーの上縁の高さよりも低くなり、ユーザーが運動する時の足部の重心が低下され、また、上記靴底面の両側端縁において、所定のローラーに対応する位置に、一体成形される輪座が形成され、並列ローラースケート靴の基本構造が簡素化されることに着目し、かかる知見に基づいて本考案に想到した。
【００１２】
かくして、請求項１に係る考案によれば、ローラースケート靴本体と台座輪座とからなり、上記台座輪座に、ローラースケート靴のローラーが並列される並列ローラースケート靴構造であって、
上記ローラースケート靴本体の靴底面の高さが、並列ローラースケート靴のローラーの上縁より低く、ユーザーが運動する時の足部の重心が低下し、上記靴底面の両側において、所定のローラー位置に対応して、一体成形による輪座が形成され、並列ローラースケート靴の基本構造が簡素化されることを特徴とする低重心且つ安全な並列ローラースケート靴構造が提供される。
【００１３】
請求項２に係る考案によれば、上記並列ローラースケート靴は、前列及び後列のローラーの直径が、１：２の割合に設置されることを特徴とする請求項１に記載の低重心且つ安全な並列ローラースケート靴構造が提供される。  
【００１４】
請求項３に係る考案によれば、上記の前列の小直径ローラーの直径の高さが、所定の重心の高さより低くなる時、上記前列小直径ローラーの設置幅が縮小され、また、上記の小直径ローラーのホイールセグメントが、靴底面の重心の高さよりも、やや低いことを特徴とする請求項２に記載の低重心且つ安全な並列ローラースケート靴構造が提供される。
【００１５】
請求項４に係る考案によれば、上記靴底面の重心の高さが、後列の大直径ローラーの両輪軸心線の高さより高い時、直接に、上記の靴底面の厚さにより、輪軸の輪座が形成され、対応する並列ローラーが、一つの横方向に設置された輪軸に貫設されることを特徴とする請求項１に記載の低重心且つ安全な並列ローラースケート靴構造が提供される。
【００１６】
請求項５に係る考案によれば、上記の前列小直径のローラーは、二つのローラーから、一つの中央に設置された単一のローラーに簡素化されることを特徴とする請求項３に記載の低重心且つ安全な並列ローラースケート靴構造が提供される。
【考案の効果】
【００１７】
本考案は、上記の通りの構成からなるものであり、使用者の足部の重心が低くなり、また、前列小直径のローラーの直径の高さが、靴底面の所定の重心の高さよりも低い場合、小直径のローラーの幅を縮小して設置することができるなど、構造の簡素化と安定性を図ることができる。
【考案を実施するための最良の形態】
【００１８】
以下、図面を参照しながら、本考案の特徴や技術内容について、詳しく説明するが、それらの図面等は、参考や説明のためのものであり、本考案は、それによって限定されるものではない。
【００１９】
図１乃至図４に示すように、本考案に係る低重心且つ安全な並列ローラースケート靴構造は、上記ローラースケート靴が、ローラースケート靴本体と台座輪座とを有し、上記台座輪座に、並列ローラースケート靴ローラーが設置され、上記ローラースケート靴本体の靴底面１の高さが、並列ローラースケート靴のローラー２の上縁の高さよりも低く、その高さの区間が、ローラー２の上縁から、最も低い場合、輪軸３の線の高さ以下になる。これにより、ユーザーが運動する時の足部の重心が、有効に低下する。  また、上記靴底面１の両側端縁において、所定のローラーに対応する位置に、一体成形による輪座１０が形成され、輪座１０が、外へ伸びる仰角により、靴底面１の重心の高さが決定され、これにより、予定の低重心の高さが調整されて、並列ローラースケート靴の基本構造が簡素化される。
【００２０】
上記の構造によれば、上記並列ローラースケート靴は、前列及び後列ローラー２の直径が、１：２の割合によって設置される。  上記ローラー２の規格直径の選択は、区間に合わせて、１５％の区間内で、増大や縮小ができる。  図５は、本考案の他の実施形態であり、上記前列小直径ローラー２の直径の高さが、靴底面１の所定の重心の高さよりも低い時、上記前列小直径ローラー２を、幅を縮小して設置でき、このような構造形態である小直径ローラーのホイールセグメントが、靴底面１の重心の高さよりやや低く、もちろん、上記の構造形態であれば、上記前列小直径ローラー２を、二つから、中央に位置する単一ローラー２に簡素化でき、それは、飛行機のような三輪を設置する移動体の前輪形態の応用例である。
【００２１】
図５のように、上記構造は、上記靴底面１の重心の高さが、所定の後列大直径ローラー２の両輪軸３の軸心線よりも高い時、輪軸３が、直接に、上記靴底面１の厚さを利用して輪座１０を形成してもよく、対応する並列ローラー２が、横方向に貫設された一つの輪軸３に実装され、輪座成形の構造が、一層簡素化される。
【００２２】
本考案に係る低重心且つ安全な並列ローラースケート靴構造の設計によれば、上記ローラースケート靴本体の靴底面の高さが、並列ローラースケート靴のローラーの上縁の高さより低く、輪軸線の高さよりも低いため、有効に、ユーザーが運動する時の足部の重心が低下し、重心が低いことにより、運動傷害のリスクが低減する。それにより、安全性が向上し、また、上記靴底面の両側端縁において、所定のローラーに対応する位置に、直接に、一体成形による輪座が形成されると、少なくとも、従来の構造より、独自の台座輪座の作製や組立てを節約でき、有効に、並列ローラースケート靴の基本構造が簡素化し、また、使用の安全性や構造簡素化が両立し、全体として、本考案は、従来の諸欠点を解消でき、また、コストを低減でき、前記の課題を実現することができる。
【００２３】
以上の説明は、本考案の好適な実施形態であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００２４】
【図１】本考案の一実施形態によるローラースケート靴の斜視図である。
【図２】本考案の一実施形態によるローラースケート靴の分解斜視図である。
【図３】本考案の一実施形態によるローラースケート靴の平面断面図である。
【図４】本考案の一実施形態によるローラースケート靴の正面図である。
【図５】本考案の他の実施形態によるローラースケート靴の要部構造図である。
【符号の説明】
【００２５】
１  靴底面
１０  輪座
２  ローラー
３  輪軸
【図１】
0003180288.tif 000003
【図２】
0003180288.tif 000004
【図３】
0003180288.tif 000005
【図４】
0003180288.tif 000006
【図５】
0003180288.tif 000007